(57)【要約】【課題】モーター駆動時の消費電力の上昇に伴って発生するノイズを、低コストで簡便に目立たなくすることが可能な画像ディスク再生表示装置および画像ディスク再生表示方法を提供する。【解決手段】ディスク再生部２と、モニタ３と、モニタ３の画質に係る初期設定値を記憶する初期設定値記憶手段（ＲＯＭ７）と、ユーザーによる任意の設定であるユーザー設定値を記憶するユーザー設定値記憶手段（ＣＰＵ５）と、ディスク再生部２におけるディスクの所定の動作を検知する検知部２１と、所定の動作が検知された場合に、ユーザー設定値から初期設定値に切替える画質設定値切替手段（ＣＰＵ５）と、該手段よって切替えられた初期設定値をユーザー設定値に切替える所定の条件の成立を判断する切替判断手段（ＣＰＵ５）と、所定の条件が成立したときに、初期設定値からユーザー設定値に切替えるユーザー設定値切替手段（ＣＰＵ５）とを備える。【選択図】図２                                                                  
2006013947.tif 000002
【特許請求の範囲】
【請求項１】
ディスクに記憶された画像データを再生する画像再生手段と、
前記画像再生手段からの画像信号に基づく画像を表示する表示手段と、
前記表示手段に表示される画像の画質に関する初期設定値を記憶する初期設定値記憶手段と、
ユーザーによって任意に設定された、前記表示手段に表示される画像の画質に関するユーザー設定値を記憶するユーザー設定値記憶手段と、
前記画像再生手段へのディスクの挿入開始から終了までの所定の動作を検知する検知手段と、
前記検知手段によって前記所定の動作が検知された場合に、前記画像の画質設定値を、ユーザー設定値から、前記初期設定値記憶手段に記憶された初期設定値に切替える画質設定値切替手段と、
前記画質設定値切替手段によって切替えられた画質設定値をユーザー設定値に切替える所定の条件が成立したか否かを判断する切替判断手段と、
前記切替判断手段により、所定の条件が成立したと判断された場合に、画質設定値を初期設定値から、前記ユーザー設定値記憶手段に記憶されたユーザー設定値に切替えるユーザー設定値切替手段と、
を備えることを特徴とする画像ディスク再生表示装置。
【請求項２】
ディスクに記憶された画像データを再生する画像再生手段と、
前記画像再生手段からの画像信号に基づく画像を表示する表示手段と、
前記表示手段に表示される画像の画質に関する初期設定値を記憶する初期設定値記憶手段と、
前記画像再生手段へのディスクの挿入開始から終了までの所定の動作を検知する検知手段と、
前記検知手段によって前記所定の動作が検知された場合に、前記画像の画質設定値を、ユーザーによって任意に設定されたユーザー設定値から初期設定値に切替える画質設定値切替手段と、
を備えることを特徴とする画像ディスク再生表示装置。
【請求項３】
ディスクに記憶された画像データを再生する画像再生手段と、
前記画像再生手段からの画像信号に基づく画像を表示する表示手段と、
前記表示手段に表示される画像の画質に関する初期設定値を記憶する初期設定値記憶手段と、
前記画像再生手段へのディスクの挿入開始から終了までの所定の動作を検知する検知手段と、
前記検知手段によって前記所定の動作が検知された場合であって、且つ、ユーザーによって任意に設定された前記画像の画質設定値に関するユーザー設定値が、予め設定された閾値から外れた場合に、前記ユーザー設定値を初期設定値に切替える画質設定値切替手段と、
を備えることを特徴とする画像ディスク再生表示装置。
【請求項４】
ディスクに記憶された画像データを再生する画像再生手段と、
前記画像再生手段からの画像信号に基づく画像を表示する表示手段と、
前記表示手段に表示される画像の画質に関する初期設定値を記憶する初期設定値記憶手段と、
前記画像再生手段へのディスクの挿入開始から終了までの所定の動作を検知する検知手段と、
前記検知手段によって前記所定の動作が検知された場合であって、且つ、ユーザーによ
って任意に設定された前記画像の画質設定値に関するユーザー設定値が、予め設定された閾値から外れた場合に、前記ユーザー設定値から前記閾値に切替える画質設定値切替手段と、
を備えることを特徴とする画像ディスク再生表示装置。
【請求項５】
請求項２、３又は４に記載の画像ディスク再生表示装置において、
前記ユーザー設定値を記憶するユーザー設定値記憶手段と、
前記画質設定値切替手段によって切替えられた画質設定値をユーザー設定値に切替える所定の条件が成立したか否かを判断する切替判断手段と、
前記切替判断手段により、所定の条件が成立したと判断された場合に、画質設定値を初期設定値から、前記ユーザー設定値記憶手段に記憶されたユーザー設定値に切替えるユーザー設定値切替手段と、
を備えることを特徴とする画像ディスク再生表示装置。
【請求項６】
ディスクに記憶された画像データを再生する画像再生工程と、
前記画像再生工程により再生された画像信号に基づく画像を表示手段に表示する表示工程と、を備える画像ディスク再生表示方法において、
前記画像再生工程は、
ディスクの挿入開始から終了までの所定の動作を検知する検知工程と、
前記検知工程によって前記所定の動作が検知された場合に、前記画像の画質設定値を、ユーザー設定値から初期設定値に切替える画質設定値切替工程と、
を備えることを特徴とする画像ディスク再生表示方法。
【請求項７】
ディスクに記憶された画像データを再生する画像再生工程と、
前記画像再生工程により再生された画像信号に基づく画像を表示手段に表示する表示工程と、を備える画像ディスク再生表示方法において、
前記画像再生工程は、
ディスクの挿入開始から終了までの所定の動作を検知する検知工程と、
前記検知工程によって前記所定の動作が検知された場合であって、且つ、ユーザーによって任意に設定された前記画像の画質設定に関するユーザー設定値が、予め設定された閾値から外れた場合に、前記ユーザー設定値を初期設定値に切替える画質設定値切替工程と、
を備えることを特徴とする画像ディスク再生表示方法。
【請求項８】
ディスクに記憶された画像データを再生する画像再生工程と、
前記画像再生工程により再生された画像信号に基づく画像を表示手段に表示する表示工程と、を備える画像ディスク再生表示方法において、
前記画像再生工程は、
ディスクの挿入開始から終了までの所定の動作を検知する検知工程と、
前記検知工程によって前記所定の動作が検知された場合であって、且つ、ユーザーによって任意に設定された前記画像の画質設定値に関するユーザー設定値が、予め設定された閾値から外れた場合に、前記ユーザー設定値を閾値に切替える画質設定値切替工程と、
を備えることを特徴とする画像ディスク再生表示方法。
【発明の詳細な説明】
【技術分野】
【０００１】
本発明は、画像ディスク再生表示装置および画像ディスク再生表示方法に関する。
【背景技術】
【０００２】
従来、ＶＣＤ（Video  Compact  Disc）、ＤＶＤ（Digital  Versatile  Disk）、ＤＶ（Digital  Video）などの画像ディスクのディスク再生装置と表示装置とが電源を同一にする一体型である場合において、ディスクの回転開始時に、表示装置の画面上にノイズが発生する現象が見られることがあった。
【０００３】
これは、ディスク挿入・回転開始時、即ち、最も負荷がかかるモーター駆動時にディスク再生装置における消費電力が上昇し、表示装置に供給される電力が一時的に低下することによる。
【０００４】
このようなノイズ対策としては、従来、ディスク搬送に係る起動モーターの回転駆動によって発生する電気的なノイズを低減する方法（例えば、特許文献１参照）や、装着手段を動作させる動力源の負荷が変化した場合であっても、動力源を装着手段の機構の負荷の変化に基づくトルクで駆動することにより、動力源からの異音やノイズを抑えることが可能な再生機構（例えば、特許文献２参照）などが知られており、ノイズ発生を構造的に抑制する対策が主として採られてきた。
【特許文献１】特開２００２−３５８７０８号公報
【特許文献２】特開２００１−２０２６７７号公報
【発明の開示】
【発明が解決しようとする課題】
【０００５】
しかしながら、特許文献１に係る記録媒体搬送装置や、特許文献２に係る情報記録媒体再生装置のようなノイズ対策の場合、ノイズの発生を構造的に抑制する対策であるため、コストがかかるという問題があった。
【０００６】
また、表示装置の表示部の画質設定値は、ユーザーの好みに応じて、初期設定値よりもハイスペック（高仕様）の画質設定値に変更することも可能であり、ハイスペックな画質設定値に変更している場合、上述した供給電力の低下に伴うノイズが顕著に確認されてしまうという問題があった。
【０００７】
本発明の課題は、モーター駆動時の消費電力の上昇に伴って発生するノイズを、低コストで簡便に目立たなくすることが可能な画像ディスク再生表示装置および画像ディスク再生表示方法を提供することである。
【課題を解決するための手段】
【０００８】
以上の課題を解決すべく、請求項１に記載の発明は、ディスクに記憶された画像データを再生する画像再生手段と、前記画像再生手段からの画像信号に基づく画像を表示する表示手段と、前記表示手段に表示される画像の画質に関する初期設定値を記憶する初期設定値記憶手段と、ユーザーによって任意に設定された、前記表示手段に表示される画像の画質に関するユーザー設定値を記憶するユーザー設定値記憶手段と、前記画像再生手段へのディスクの挿入開始から終了までの所定の動作を検知する検知手段と、前記検知手段によって前記所定の動作が検知された場合に、前記画像の画質設定値を、ユーザー設定値から、前記初期設定値記憶手段に記憶された初期設定値に切替える画質設定値切替手段と、前記画質設定値切替手段によって切替えられた画質設定値をユーザー設定値に切替える所定の条件が成立したか否かを判断する切替判断手段と、前記切替判断手段により、所定の条件が成立したと判断された場合に、画質設定値を初期設定値から、前記ユーザー設定値記憶手段に記憶されたユーザー設定値に切替えるユーザー設定値切替手段と、を備えること
を特徴とする。
【０００９】
請求項２に記載の発明は、ディスクに記憶された画像データを再生する画像再生手段と、前記画像再生手段からの画像信号に基づく画像を表示する表示手段と、前記表示手段に表示される画像の画質に関する初期設定値を記憶する初期設定値記憶手段と、前記画像再生手段へのディスクの挿入開始から終了までの所定の動作を検知する検知手段と、前記検知手段によって前記所定の動作が検知された場合に、前記画像の画質設定値を、ユーザーによって任意に設定されたユーザー設定値から初期設定値に切替える画質設定値切替手段と、を備えることを特徴とする。
【００１０】
請求項３に記載の発明は、ディスクに記憶された画像データを再生する画像再生手段と、前記画像再生手段からの画像信号に基づく画像を表示する表示手段と、前記表示手段に表示される画像の画質に関する初期設定値を記憶する初期設定値記憶手段と、前記画像再生手段へのディスクの挿入開始から終了までの所定の動作を検知する検知手段と、前記検知手段によって前記所定の動作が検知された場合であって、且つ、ユーザーによって任意に設定された前記画像の画質設定値に関するユーザー設定値が、予め設定された閾値から外れた場合に、前記ユーザー設定値を初期設定値に切替える画質設定値切替手段と、を備えることを特徴とする。
【００１１】
請求項４に記載の発明は、ディスクに記憶された画像データを再生する画像再生手段と、前記画像再生手段からの画像信号に基づく画像を表示する表示手段と、前記表示手段に表示される画像の画質に関する初期設定値を記憶する初期設定値記憶手段と、前記画像再生手段へのディスクの挿入開始から終了までの所定の動作を検知する検知手段と、前記検知手段によって前記所定の動作が検知された場合であって、且つ、ユーザーによって任意に設定された前記画像の画質設定値に関するユーザー設定値が、予め設定された閾値から外れた場合に、前記ユーザー設定値から前記閾値に切替える画質設定値切替手段と、を備えることを特徴とする。
【００１２】
請求項５に記載の発明は、請求項２、３又は４に記載の画像ディスク再生表示装置において、前記ユーザー設定値を記憶するユーザー設定値記憶手段と、前記画質設定値切替手段によって切替えられた画質設定値をユーザー設定値に切替える所定の条件が成立したか否かを判断する切替判断手段と、前記切替判断手段により、所定の条件が成立したと判断された場合に、画質設定値を初期設定値から、前記ユーザー設定値記憶手段に記憶されたユーザー設定値に切替えるユーザー設定値切替手段と、を備えることを特徴とする。
【００１３】
請求項６に記載の発明は、ディスクに記憶された画像データを再生する画像再生工程と、前記画像再生工程により再生された画像信号に基づく画像を表示手段に表示する表示工程と、を備える画像ディスク再生表示方法において、前記画像再生工程は、ディスクの挿入開始から終了までの所定の動作を検知する検知工程と、前記検知工程によって前記所定の動作が検知された場合に、前記画像の画質設定値を、ユーザー設定値から初期設定値に切替える画質設定値切替工程と、を備えることを特徴とする。
【００１４】
請求項７に記載の発明は、ディスクに記憶された画像データを再生する画像再生工程と、前記画像再生工程により再生された画像信号に基づく画像を表示手段に表示する表示工程と、を備える画像ディスク再生表示方法において、前記画像再生工程は、ディスクの挿入開始から終了までの所定の動作を検知する検知工程と、前記検知工程によって前記所定の動作が検知された場合であって、且つ、ユーザーによって任意に設定された前記画像の画質設定に関するユーザー設定値が、予め設定された閾値から外れた場合に、前記ユーザー設定値を初期設定値に切替える画質設定値切替工程と、を備えることを特徴とする。
【００１５】
請求項８に記載の発明は、ディスクに記憶された画像データを再生する画像再生工程と、前記画像再生工程により再生された画像信号に基づく画像を表示手段に表示する表示工程と、を備える画像ディスク再生表示方法において、前記画像再生工程は、ディスクの挿入開始から終了までの所定の動作を検知する検知工程と、前記検知工程によって前記所定の動作が検知された場合であって、且つ、ユーザーによって任意に設定された前記画像の画質設定値に関するユーザー設定値が、予め設定された閾値から外れた場合に、前記ユーザー設定値を閾値に切替える画質設定値切替工程と、を備えることを特徴とする。
【発明の効果】
【００１６】
請求項１に記載の発明によると、表示手段の画質設定値が、ユーザー設定値から、初期設定値に切替えられた後に、ディスクの回転が開始することとなる。
【００１７】
これにより、ディスクの回転開始時、即ちモーター駆動時に発生する画像再生手段での消費電力の上昇によって表示手段に供給される電力が低下し、表示手段にノイズが発生しても、該ノイズを、簡便に目立たなくすることができる。
【００１８】
また、表示手段の画質設定値を切替えることのみによって実現されるため、コストをかけずにノイズを目立たなくすることができる。
【００１９】
さらに、初期設定値に切替えられた表示手段の画質設定値が、所定の条件が成立した後に、再びユーザー設定値に切替えられるので、ユーザーにとって快適な使用環境を損なうことなくノイズを目立たなくすることができる。
【００２０】
請求項２又は６に記載の発明によると、表示手段の画質設定値が、ユーザー設定値から、初期設定値に切替えられた後に、ディスクの回転が開始することとなる。
【００２１】
これにより、ディスクの回転開始時、即ちモーター駆動時に発生する画像再生手段での消費電力の上昇によって表示手段に供給される電力が低下し、表示手段にノイズが発生しても、該ノイズを、簡便に目立たなくすることができる。
【００２２】
また、表示手段の画質設定値を切替えることのみによって実現されるため、コストをかけずにノイズを目立たなくすることができる。
【００２３】
請求項３又は７に記載の発明によると、表示手段の画質設定値が、予め設定された閾値から外れたユーザー設定値から、初期設定値に切替えられた後に、ディスクの回転が開始することとなる。
【００２４】
これにより、ディスクの回転開始時、即ちモーター駆動時に発生する画像再生手段での消費電力の上昇によって表示手段に供給される電力が低下し、表示手段にノイズが発生しても、該ノイズを、簡便に目立たなくすることができる。
【００２５】
また、表示手段の画質設定値を切替えることのみによって実現されるため、コストをかけずにノイズを目立たなくすることができる。
【００２６】
請求項４又は８に記載の発明によると、表示手段の画質設定値が、予め設定された閾値から外れたユーザー設定値から、閾値に切替えられた後に、ディスクの回転が開始することとなる。
【００２７】
これにより、ディスクの回転開始時、即ちモーター駆動時に発生する画像再生手段での消費電力の上昇によって表示手段に供給される電力が低下し、表示手段にノイズが発生しても、該ノイズを、簡便に目立たなくすることができる。
【００２８】
また、表示手段の画質設定値を切替えることのみによって実現されるため、コストをかけずにノイズを目立たなくすることができる。
【００２９】
さらに、ユーザー設定値から閾値における設定に切替えることに止まるため、画質設定値の切替えによる画質の変化を最小限に抑えることができ、ユーザーに与える違和感を低減させることができる。
【００３０】
請求項５に記載の発明によると、表示手段の画質設定値が、所定の条件が成立した後に
、再びユーザー設定値に切替えられることとなる。
【００３１】
これにより、請求項２〜４に記載の発明の効果が得られるのは無論のこと、特に、表示手段の画質設定値が、ユーザーの所望の画質設定値に再び切替えられることとなり、ユーザーにとって快適な使用環境を損なうことなく実現することができる。
【発明を実施するための最良の形態】
【００３２】
＜実施形態１＞
以下に、本発明の実施形態１を、図面を参照しながら詳細に説明する。ただし、発明の範囲は図示例に限られない。
【００３３】
図１は本発明を適用した好適な実施の形態として例示する画像ディスク再生表示装置としての、モニタ付きＤＶＤプレイヤ（以下、「ＤＶＤプレイヤ」という。）の要部構成を示すブロック図である。
【００３４】
本実施の形態のＤＶＤプレイヤ１は、図１に示すように、画像再生手段としてのディスク再生部２と、画像を表示する表示手段としてのモニタ３、音声を出力するスピーカー４、ＣＰＵ（Central  Processing  Unit）５、ＲＡＭ（Random  Access  Memory）６、Ｒ
ＯＭ（Read  Only  Memory）７、等を備えている。
【００３５】
ディスク再生部２は、ＤＶＤ（ディスク）に記憶された画像データを再生して出力する。即ち、エンコードされたデジタル画像データおよび音声データをデコードして画像信号および音声信号を生成し、画像信号をモニタ３に出力し、音声信号をスピーカー４に出力する。
【００３６】
また、ディスク再生部２は、ディスク再生部２への挿入開始から終了までの所定の動作を検知する検知手段としての検知部２１、ディスクを搬入するためのトレイ２２、トレイ２２の動作指示を入力するための操作部２３が設けられている。
【００３７】
検知部２１は、所定の動作として、例えば、トレイ２２のクローズ動作の終了を検知する。具体的には、以下のように検知を行う。
【００３８】
ユーザーが、操作部２３を介してトレイ２２のオープン動作を指示すると、トレイ２２はオープン動作を開始し、ディスク再生部２より外部方向に延出する。該トレイ２２にＤＶＤを載置し、再び操作部２３を介してクローズ動作を指示すると、トレイ２２はディスク再生部２内部に引き戻り、トレイ２２のクローズ動作が終了する。
【００３９】
クローズ動作の終了は、ディスク再生部２内部に収まったトレイ２２に設けられたアナログスイッチが押下されることによって、クローズラインがLow（Ｌ）からHigh（Ｈ）に
変わることにより認識される。即ち、検知部２１は、クローズラインのＬからＨへの変化を検知することによって、検知情報を取得する。取得された検知情報はＣＰＵ５に出力される。
【００４０】
モニタ３は、表示手段として、ディスク再生部２からの画像信号に基づく画像を表示するものであり、スピーカー４はディスク再生部２からの音声信号に基づく音声を出力するものである。
【００４１】
ＣＰＵ５は、当該ＤＶＤプレイヤ１を構成する各部を統括して制御するものであり、ＲＯＭ７に格納されている所定のプログラムを読み出してＲＡＭ６の作業領域に展開し、当該プログラムに従って各種処理を実行する。具体的には、ＣＰＵ５は、所定の制御プログラムを実行してディスク再生部２を介して入力された検知情報に基づいて、モニタの画質設定値の切替えを実行する。
【００４２】
ＲＡＭ６は、ＣＰＵ５により実行される各処理において、プログラムやデータなどを一時的に記憶する記憶領域６１、プログラムを実行するための作業領域６２などを形成する。記憶領域６１には、モニタ３の画質設定値に係るユーザー設定値（後述する）を記憶し、ユーザー設定値記憶手段として機能する。
【００４３】
ＲＯＭ７は、本発明の動作の実行に必要な各種アプリケーションソフト、プログラムなどを格納しており、具体的には、例えば、図１に示すように、ユーザー設定値記憶プログラム７１、画質設定値切替プログラム７２、切替判断プログラム７３、ユーザー設定値切替プログラム７４、初期設定値データテーブル７５、などを格納する。
【００４４】
ユーザー設定値記憶プログラム７１は、ユーザーによって任意に設定された、モニタ３に表示される画像の画質に関するユーザー設定値を記憶するためのプログラムであって、ＣＰＵ５は、該ユーザー設定値記憶プログラム７１を実行することによってユーザー設定値記憶手段の一部として機能する。
【００４５】
ここで、ユーザー設定値について説明する。モニタ３に表示される画像の画質設定値は、初期設定値から、ユーザー好みの任意の設定に変更（調整）することができる。変更可能な画質設定値の項目としては、例えば、明るさ（ＢＲＴ）、映像（ＣＮＴ）、色（ＣＯＬ）、色合い（ＴＩＮＴ）、鮮鋭性（ＳＨＡＲＰＮＥＳＳ）などが挙げられ、これらの項目の設定値を変更することによって、ユーザーの所望の画質を実現することができる。
【００４６】
このように、ユーザーの好みによって任意に設定されたユーザー設定値は、ＣＰＵ５によって、ＣＰＵ５と共にユーザー設定値記憶手段として機能するＲＡＭ６に記憶される。
【００４７】
一方、初期設定値は、モニタ３の画像に関して予め設定された画質設定値であって、ＢＲＴ、ＣＮＴ、ＣＯＬ、ＴＩＮＴ、ＳＨＡＲＰＮＥＳＳなどがいずれもデフォルトされていない状態の、最も標準的な設定である。初期設定値は、初期設定値記憶手段としてのＲＯＭ７の初期設定値データテーブル７５に格納されてなる。
【００４８】
画質設定値切替プログラム７２は、検知部２１によってディスクのクローズ動作終了が検知された場合に、モニタ３に表示される画像の画質設定値を、ユーザーによって任意に設定されたユーザー設定値から、初期設定値データテーブル７５の初期設定値に切替えるためのプログラムであって、ＣＰＵ５は、該画質設定値切替プログラム７２を実行することによって、画質設定値切替手段として機能する。
【００４９】
具体的には、ディスク再生部２が備えるトレイ２２のクローズラインがＨに変わることによって、検知部２１がクローズ動作終了を検知し、取得された検知情報がＣＰＵ５に出力された場合に、ＣＰＵ５が画像設定値切替プログラム７２を実行することによって、画質設定値の切替を実行する。
【００５０】
切替判断プログラム７３は、画質設定値切替手段としてのＣＰＵ５によって、初期設定値に切替られた画質設定値を、ユーザー設定値に切替える所定の条件が成立したか否かを判断するためのプログラムであって、ＣＰＵ５は、該切替判断プログラム７３を実行することによって、切替判断手段として機能する。
【００５１】
ここで、「所定の条件」としては、例えば、検知部２１によってＣＰＵ５に検知情報が入力されてから、所定の時間が経過していることを意味し、本実施の形態においては、検知情報がＣＰＵ５に入力されてから５秒が経過することを所定の条件とした。
【００５２】
ユーザー設定値切替プログラム７４は、切替判断手段としてのＣＰＵ５によって、前述した検知情報がＣＰＵ５に入力されてから５秒経過したと判断された場合に、モニタ３における画質設定値を、初期設定値から、ＲＡＭ６に記憶されたユーザー設定値に切替えるためのプログラムであって、ＣＰＵ５は、該ユーザー設定値切替プログラム７４を実行することによって、ユーザー設定値切替手段として機能する。
【００５３】
ＤＶＤプレイヤ１は上述のように構成されており、ディスク再生部２、モニタ３、スピーカー４、ＣＰＵ５、ＲＡＭ６、ＲＯＭ７に供給される電力は、同一の電源（図示省略）から供給されてなる。
【００５４】
次いで、図２に示すフローチャートを用いてＤＶＤプレイヤ１における画質設定値切替処理について説明する。
【００５５】
まず、ＤＶＤプレイヤ１の電源を入れ、立ち上げる（ステップＳ１）。すると、ＣＰＵ５は、検知情報の有無を判断する（ステップＳ２）。トレイ２２を介してディスク再生部２にＤＶＤが挿入され、クローズラインの（ＬからＨへの）変化に基づいて検知部２１が検知した検知情報がＣＰＵ５に出力されると（ステップＳ２；Ｙｅｓ）、ＣＰＵ５が、図示しない制御プログラムを実行することによって、モニタ３に表示される画像の画質設定値がユーザーによって変更されているか否かを判断する（ステップＳ３）。ユーザーによって画質設定値が変更されている場合、即ち、ユーザー設定値である場合（ステップＳ３；Ｙｅｓ）、ＣＰＵ５はユーザー設定値記憶プログラム７１を実行することによって、ユーザー設定値をＲＡＭ６に記憶する（ステップＳ４；ユーザー設定値記憶工程）。ＣＰＵ５への検知情報の出力がない場合（ステップＳ２；Ｎｏ）、ＣＰＵ５は待機状態となる。
【００５６】
ユーザー設定値がＲＡＭ６に記憶されると、ＣＰＵ５は、画質設定値切替プログラム７２を実行することによって、初期設定値データテーブル７５から初期設定値を呼び出し、モニタ３に表示される画像の画質設定値を、ユーザー設定値から初期設定値に切替える（ステップＳ５；画質設定値切替工程）。
【００５７】
ステップＳ６においては、ＣＰＵ５は、切替判断プログラム７３を実行することによって、検知部２１が検知した検知情報がＣＰＵ５に出力されてから５秒が経過したか否かの判断を行う（ステップＳ６；切替判断工程）。５秒が経過したとＣＰＵ５が判断すると（ステップＳ６；Ｙｅｓ）、ＣＰＵ５はユーザー設定値切替プログラム７４を実行することによって、モニタ３に表示される画像の画質設定値を、ステップＳ５で切替えた初期設定値から、ＲＡＭ６に記憶されたユーザー設定値に切替え（ステップＳ７；ユーザー設定値切替工程）、画質設定値切替処理を終了する。
【００５８】
ステップＳ６において、ＣＰＵ５が、５秒経過していないと判断すると（ステップＳ６；Ｎｏ）、画質設定値の切替は行われず、再び所定の条件（検出情報のＣＰＵ５への出力後５秒間経過）の成立の有無が判断される。
【００５９】
また、ステップＳ３において、モニタ３の画質設定値が初期設定値のままであるとＣＰＵ５が判断すると（ステップＳ３；Ｎｏ）、いずれの処理も行われることなく、画質設定値切替処理は終了する。
【００６０】
以上に説明した実施形態１に係るＤＶＤプレイヤ１によると、モニタ３の画質設定値が、ユーザー設定値から、初期設定値に切替えられた後に、ＤＶＤの回転が開始することとなる。これにより、ＤＶＤの回転開始時、即ちモーター駆動時に発生するディスク再生部２での消費電力の上昇によってモニタ３に供給される電力が低下し、モニタ３にノイズが発生しても、該ノイズを、簡便に目立たなくすることができる。また、モニタ３の画質設定値を切替えることのみによって実現されるため、コストをかけずにノイズを目立たなくすることができる。
【００６１】
さらに、初期設定値に切替えられたモニタ３の画質設定値が、検知情報の出力から５秒経過後に、再びユーザー設定値に切替えられるので、ユーザーにとって快適な使用環境を損なうことなくノイズの低減を実現することができる。
【００６２】
尚、ディスクのクローズ動作の指示は、操作部２３を介すことなく、例えばトレイ２２を軽くディスク再生部２方向に押し込むことによって入力されてもよいし、ディスク再生部２によってトレイ２２のクローズ動作終了が検知されてから一定時間経過後、自動的に入力されるものとしてもよい。同様に、ディスクのオープン動作についても、操作部２３を介すことなく入力されるものとしても構わない。
【００６３】
また、切替判断工程における所定の条件としては、ＣＰＵ５に検知情報が出力されてから５秒経過することに限られることはなく、例えば、モーターの起動が開始した後一定時間経過を条件としてもよいし、ディスク認識部（図示省略）によって、ディスクが認識されることとしてもよく、ユーザーにとって快適な使用環境を提供可能な条件であることが好ましい。
＜実施形態２＞
以下に、実施形態２に係るＤＶＤプレイヤ１００について説明する。ＤＶＤプレイヤ１００は、ＲＯＭ１０７に格納されるプログラムが実施形態１に係るＤＶＤプレイヤ１と異なる。従って、実施形態２を説明するにあたり、上記実施形態１と同様の構成については、同一の符号を付し、説明は省略する。
【００６４】
図３に示すように、実施形態２であるＤＶＤプレイヤ１００におけるＲＯＭ１０７には、実施形態１に係るＲＯＭ７における画質設定値切替プログラム７２に代えて、画質設定値切替プログラム１７２が格納されてなる。またその他に、閾値データテーブル１７６が格納されてなる。
【００６５】
画質設定値切替プログラム１７２は、検知部２１によってトレイ２２のクローズ動作終了が検知された場合であって、且つ、ユーザーによって任意に設定されたユーザー設定値が、予め設定された閾値１７６から外れた場合に、ユーザー設定値を初期設定値に切替えるためのプログラムであって、ＣＰＵ５は、該画質設定値切替プログラム１７２を実行することによって画質設定値切替手段として機能する。
【００６６】
閾値データテーブル１７６には、画像の画質を決定する各項目と、各項目における閾値とが対応付けられている。具体的には、例えば、画質を決定する項目としてのＢＲＴ、ＣＮＴ、ＣＯＬ、ＴＩＮＴ、ＳＨＡＲＰＮＥＳＳなどと、該各項目の閾値とが対応付けられている。
【００６７】
閾値とは、ＤＶＤ挿入時にモニタに発生するノイズが目立たない画質を実現可能な画質設定値範囲における限界値を意味し、例えば、ＢＲＴを例に挙げると、ユーザー設定値のＢＲＴレベルが、初期設定値のＢＲＴレベルよりも３０以上乖離するとノイズの発生が目立つ場合には、ＢＲＴの閾値を「３０」とする。ここで、閾値としては３０に限られることは無く、例えばより広範囲をとって、「４０」としてもよいし、ノイズの発生が目立たない画質を好適に実現可能な範囲において、任意の設定値とすることができる。
【００６８】
また、ＢＲＴ以外の他の項目についても同様に、ノイズの発生が目立たない画質を実現可能な設定値範囲における限界値（閾値）が定められる。
【００６９】
各項目のいずれかひとつが閾値を超えることによって画質設定値を切替えることとしてもよく、また全ての項目が閾値を超えた場合に切替えることとしてもよく、画質設定値の切替の判断基準とする特定の項目を予め限定しておくこととしても構わない。
【００７０】
以下に、ＤＶＤプレイヤ１００による画質設定値切替処理について図４に示すフローチャートを用いて説明する。
【００７１】
まず、ＤＶＤプレイヤ１の電源を入れ、立ち上げる（ステップＳ１０１）。すると、ＣＰＵ５が、検知情報の有無を判断する（ステップＳ１０２）。トレイ２２を介してディスク再生部２にＤＶＤが挿入され、クローズラインの（ＬからＨへの）変化に基づいて検知部２１が検知した検知情報がＣＰＵ５に出力されると（ステップＳ１０２；Ｙｅｓ）、ＣＰＵ５が、図示しない制御プログラムを実行することによって、モニタ３に表示される画像の画質設定値がユーザーによって変更されているか否かを判断する（ステップＳ１０３）。ユーザーによって画質設定値が変更されている場合、即ち、ユーザー設定値である場合（ステップＳ１０３；Ｙｅｓ）、ＣＰＵ５はユーザー設定値記憶プログラム７１を実行することによって、ユーザー設定値をＲＡＭ６に記憶する（ステップＳ１０４；ユーザー設定値記憶工程）。  ＣＰＵ５への検知情報の出力がない場合（ステップＳ１０２；Ｎｏ
）、ＣＰＵ５は待機状態となる。
【００７２】
次いで、ＣＰＵ５は、閾値データテーブル１７６の閾値およびＲＡＭ６に記憶されたユーザー設定値を呼び出し、画質設定値切替プログラム１７２を実行することによって、ユーザー設定値が、閾値から外れているか否かを判断する（ステップＳ１０５；画質設定値切替工程）。ＣＰＵ５は、ユーザー設定値が閾値から外れていると判断すると（ステップＳ１０５；Ｙｅｓ）、実施形態１と同様に、モニタ３の画質設定値を、ユーザー設定値から初期設定値に切替える（ステップＳ１０６；画質設定値切替工程）。
【００７３】
ステップＳ１０７においては、ＣＰＵ５は、切替判断プログラム７３を実行することによって、検知部２１が検知した検知情報がＣＰＵ５に出力されてから５秒が経過したか否かの判断を行う（ステップＳ１０７；切替判断工程）。５秒が経過したとＣＰＵ５が判断すると（ステップＳ１０７；Ｙｅｓ）、ＣＰＵ５はユーザー設定値切替プログラム７４を実行することによって、モニタ３に表示される画像の画質設定値を、ステップＳ１０６で切替えた初期設定値から、ＲＡＭ６に記憶されたユーザー設定値に切替え（ステップＳ１０８；ユーザー設定値切替工程）、画質設定値切替処理を終了する。
【００７４】
ＣＰＵ５が、５秒経過していないと判断すると（ステップＳ１０７；Ｎｏ）、画質設定値の切替は行われず、再び所定の条件（検知情報のＣＰＵ５への出力後５秒間経過）の成立の有無が判断される。
【００７５】
また、モニタ３の画質設定値がユーザー設定値でない場合（ステップＳ１０３；Ｎｏ）およびユーザー設定値の値が、閾値から外れていない場合（ステップＳ１０５；Ｎｏ）には、その時点で画質設定値切替処理は終了する。
【００７６】
以上に説明した実施形態２におけるＤＶＤプレイヤ１００によると、モニタ３の画質設定値が、予め設定された閾値１７６から外れる値を備えるユーザー設定値から、初期設定値に切替えられた後に、ＤＶＤの回転が開始することとなる。
【００７７】
これにより、ＤＶＤの回転開始時、即ちモーター駆動時に発生するディスク再生部２での消費電力の上昇によってモニタ３に供給される電力が低下し、モニタ３にノイズが発生しても、該ノイズを、簡便に目立たなくすることができる。
【００７８】
また、モニタ３の画質設定値を切替えることのみによって実現されるため、コストをかけずにノイズを目立たなくすることができる。
【００７９】
さらに、初期設定値に切替えられたモニタ３の画質設定値が、検知情報がＣＰＵ５に入力されてから５秒経過後に、再びユーザー設定値に切替えられることとなり、ユーザーにとって快適な使用環境を損なうことなくノイズの低減を実現することができる。
＜実施形態３＞
以下に、実施形態３に係るＤＶＤプレイヤ２００について説明する。ＤＶＤプレイヤ２００は、ＲＯＭ２０７に格納されるプログラムが実施形態１に係るＤＶＤプレイヤ１と異なる。従って、実施形態３を説明するにあたり、上記実施形態１と同様の構成については、同一の符号を付し、説明は省略する。
【００８０】
図５に示すように、実施形態３であるＤＶＤプレイヤ２００におけるＲＯＭ２０７には、実施形態１に係るＲＯＭ７における画質設定値切替プログラム７２に代えて、画質設定値切替プログラム２７２が格納され、ユーザー設定値切替プログラム７４に代えて、ユーザー設定値切替プログラム２７４が格納されてなる。また、ＲＯＭ７における初期設定値データテーブル７５は格納されておらず、一方、実施形態２に係るＲＯＭ１０７に格納される閾値データテーブル１７６が格納されてなる。
【００８１】
画質設定値切替プログラム２７２は、検知部２１によってクローズ動作終了が検知された場合であって、且つ、ユーザー設定値が予め設定された閾値から外れた場合に、ユーザー設定値から閾値に切替えるためのプログラムであって、ＣＰＵ５は、該画質設定値切替
プログラム２７２を実行することによって画質設定値切替手段として機能する。また、ユーザー設定値切替プログラム２７４は、ＣＰＵ５によって、検知情報がＣＰＵ５へ出力されてから５秒が経過したと判断された場合に、モニタ３における画質設定値を、閾値からユーザー設定値に切替えるためのプログラムであって、ＣＰＵ５は該ユーザー設定値切替プログラム２７４を実行することによってユーザー設定値切替手段として機能する。
【００８２】
以下に、ＤＶＤプレイヤ２００による画質設定値切替処理について図６に示すフローチャートを用いて説明する。
【００８３】
まず、ＤＶＤプレイヤ１の電源を入れ、立ち上げる（ステップＳ２０１）。すると、ＣＰＵ５が、検知情報の入力の有無を判断する（ステップＳ２０２）。トレイ２２を介してディスク再生部２にＤＶＤが挿入され、クローズラインの（ＬからＨへの）変化に基づいて検知部２１が検知した検知情報がＣＰＵ５に出力されると（ステップＳ２０２；Ｙｅｓ）ＣＰＵ５が、図示しない起動プログラムを実行することによって、モニタ３に表示される画像の画質設定値がユーザーによって変更されているか否かを判断する（ステップＳ２０３）。ユーザー設定値である場合（ステップＳ２０３；Ｙｅｓ）、ＣＰＵ５はユーザー設定値記憶プログラム７１を実行することによって、ユーザー設定値をＲＡＭ６に記憶する（ステップＳ２０４；ユーザー設定値記憶工程）。ＣＰＵ５への検知情報の入力がない場合（ステップＳ２０２；Ｎｏ）、ＣＰＵ５は待機状態となる。
【００８４】
次いで、ＣＰＵ５は、閾値データテーブル１７６およびＲＡＭ６に記憶したユーザー設定値を呼び出し、画質設定値切替プログラム２７２を実行することによって、ユーザー設定値の値が、閾値から外れているか否かを判断する（ステップＳ２０５；画質設定値切替工程）。ＣＰＵ５は、閾値から外れていると判断すると（ステップＳ２０５；Ｙｅｓ）、モニタ３の画質設定値を、ユーザー設定値から閾値に切替える（ステップＳ２０６；画質設定値切替工程）。
【００８５】
ステップＳ２０７においては、ＣＰＵ５は、切替判断プログラム７３を実行することによって、検知部２１が検知した検知情報がＣＰＵ５に出力されてから５秒が経過したか否かの判断を行う（ステップＳ２０７；切替判断工程）。５秒が経過したとＣＰＵ５が判断すると（ステップＳ２０７；Ｙｅｓ）、ＣＰＵ５はユーザー設定値切替プログラム２７４を実行することによって、モニタ３に表示される画像の画質設定値を、ステップＳ２０６で切替えた閾値から、ＲＡＭ６に記憶されたユーザー設定値に切替え（ステップＳ２０８；ユーザー設定値切替工程）、画質設定値切替処理を終了する。
【００８６】
ＣＰＵ５が、５秒経過していないと判断すると（ステップＳ２０７；Ｎｏ）、画質設定値の切替は行われず、再び所定の条件（検知情報のＣＰＵ５への出力後５秒間経過）の成立の有無が判断される。
【００８７】
また、モニタ３の画質設定値がユーザー設定値でない場合（ステップＳ２０３；Ｎｏ）およびユーザー設定値の値が、閾値から外れていない場合（ステップＳ２０５；Ｎｏ）には、その時点で画質設定値切替処理は終了する。
【００８８】
以上に説明した実施形態3におけるＤＶＤプレイヤ２００によると、モニタ３の画質設
定値が、予め設定された閾値１７６から外れる値を備えるユーザー設定値から、初期設定値に切替えられた後に、ＤＶＤの回転が開始することとなる。
【００８９】
これにより、ＤＶＤの回転開始時、即ちモーター駆動時に発生するディスク再生部２での消費電力の上昇によってモニタ３に供給される電力が低下し、モニタ３にノイズが発生しても、該ノイズを、簡便に目立たなくすることができる。
【００９０】
また、モニタ３の画質設定値を切替えることのみによって実現されるため、コストをかけずにノイズを目立たなくすることができる。
【００９１】
さらに、閾値設定に切替えられたモニタ３の画質設定値が、所定の条件が成立した後に
、再びユーザー設定値に切替えられることとなる。
【００９２】
これにより、モニタ３の画質設定値が、ユーザーの所望の画質設定値に再び切替えられることとなり、ユーザーにとって快適な使用環境を損なうことなくノイズの低減を実現することができる。
【００９３】
そして、ユーザー設定値から閾値における設定に切替えることに止まるため、画質設定値の切替えによる画質の変化を最小限に抑えることができ、ユーザーに与える違和感を低減させることができる。
【図面の簡単な説明】
【００９４】
【図１】本発明の実施形態１におけるＤＶＤプレイヤ１の概略構成を示すブロック図である。
【図２】ＤＶＤプレイヤ１が行う画質設定値切替処理を示すフローチャートである。
【図３】本発明の実施形態２におけるＤＶＤプレイヤ１００の概略構成を示すブロック図である。
【図４】ＤＶＤプレイヤ１００が行う画質設定値切替処理を示すフローチャートである。
【図５】本発明の実施形態３におけるＤＶＤプレイヤ２００の概略構成を示すブロック図である。
【図６】ＤＶＤプレイヤ２００が行う画質設定値切替処理を示すフローチャートである。
【符号の説明】
【００９５】
１、１００、２００  ＤＶＤプレイヤ
２      ディスク再生部
２１    検出部
３      モニタ
４      スピーカー
５      ＣＰＵ（ユーザー設定値記憶手段、画質設定値切替手段、切替判断手段、ユーザー設定値切替手段）
６      ＲＡＭ
７      ＲＯＭ
７１    ユーザー設定値記憶プログラム
７２、１７２、２７２  画質設定値切替プログラム
７３    切替判断プログラム
７４、２７４  ユーザー設定値切替プログラム
７５    初期設定値データテーブル
１７６  閾値データテーブル
【図１】
2006013947.tif 000003
【図２】
2006013947.tif 000004
【図３】
2006013947.tif 000005
【図４】
2006013947.tif 000006
【図５】
2006013947.tif 000007
【図６】
2006013947.tif 000008